(57)【要約】【課題】異なる機種の携帯電話などを有する者であっても、それぞれが均等なサービス提供を受けることのできる遊技情報提供装置、及びシステムを提供する。【解決手段】各種移動体通信端末にそれぞれ対応させた複数の情報送信手段と、遊技に関する情報を記憶する情報記憶手段と、前記情報送信手段ごとの情報提供態様を記憶した情報提供態様記憶手段と、移動体通信端末の種類に応じた情報提供態様で、それぞれ同一の遊技情報を、前記情報送信手段を介して各移動体通信端末に送信する制御を実行する制御手段と、を備える構成の遊技情報提供装置、及びこれを備える遊技情報提供システムとする。【選択図】図４
2007252588.tif 000002
【特許請求の範囲】
【請求項１】
遊技場内に設置された情報提供装置から遊技者の所有する移動体通信端末へ遊技に関する遊技情報を提供可能とした遊技情報提供システムであって、
前記情報提供装置は、
各種移動体通信端末にそれぞれ対応させた複数の情報送信手段と、
遊技に関する情報を記憶する情報記憶手段と、
前記情報送信手段ごとの情報提供態様を記憶した情報提供態様記憶手段と、
移動体通信端末の種類に応じた情報提供態様で、それぞれ同一の遊技情報を、前記情報送信手段を介して各移動体通信端末に送信する制御を実行する制御手段と、
を備えることを特徴とする遊技情報提供システム。
【請求項２】
前記情報提供装置は、
移動体通信端末の種類を入力する機種情報入力手段と、
この機種情報入力手段に入力された移動体通信端末の種類に応じた情報提供態様を案内するガイド手段と、
を備えることを特徴とする請求項１記載の遊技情報提供システム。
【請求項３】
前記情報提供装置は、
前記ガイド手段として機能する画像表示可能な表示手段と、
前記機種情報入力手段より入力された移動体通信端末の種類に応じた情報提供態様を示す複数の選択画像を、前記表示手段に表示する表示制御手段と、
前記表示手段に表示された複数の選択画像のうちのいずれが選択されたかを判定する判定手段と、
を備えることを特徴とする請求項２記載の遊技情報提供システム。
【請求項４】
前記複数の情報提供態様として、前記遊技情報を前記情報送信手段から前記移動体通信端末へ有線あるいは無線により直接的に送信する情報直接提供態様と、前記遊技情報を所定のサーバを介して前記移動体通信端末へ間接的に送信する情報間接提供態様とを有し、前記表示制御手段は、前記情報間接提供態様をとるために、前記サーバへアクセスするためアドレス又は二次元バーコードを前記表示手段に表示する制御を実行することを特徴とする請求項３に記載の遊技情報提供システム。
【請求項５】
遊技場内に設置され、遊技に関する遊技情報を遊技者が所持する移動体通信端末へ送信可能とした遊技情報提供装置であって、
各種移動体通信端末にそれぞれ対応させた複数の情報送信手段と、
遊技に関する情報を記憶する情報記憶手段と、
前記情報送信手段ごとの情報提供態様を記憶した情報提供態様記憶手段と、
移動体通信端末の種類に応じた情報提供態様で、それぞれ同一の遊技情報を、前記情報送信手段を介して各移動体通信端末に送信する制御を実行する制御手段と、
を備えることを特徴とする遊技情報提供装置。
【発明の詳細な説明】
【技術分野】
【０００１】
本発明は、携帯電話を介して遊技者に遊技情報を提供する遊技情報提供システム及び遊技情報提供装置に関する。
【背景技術】
【０００２】
従来、パチンコホールなどの遊技場では、複数のパチンコ機やパチスロ機などの遊技機が、所謂遊技島と呼ばれる遊技設備に複数台ずつ設置されており、各遊技者はそれぞれ好みの遊技機種を選択して遊技するようにしている。
【０００３】
また、近年では、複数の遊技機以外に、各遊技機の遊技状況を管理する管理サーバによって管理された遊技状況に関するデータを遊技者に表示する専用コンピュータをホール内に設置し、遊技者の操作に応じて各遊技機の遊技状況を表示する遊技場も増加している。
【０００４】
さらに、遊技者に対する様々なサービスの一つとして、イベント情報など、遊技場の情報を遊技者に提供するサービスも試みられている。
【０００５】
例えば、遊技機などに掲載した遊技場のホームページ情報に基づき、遊技者が携帯電話を用いてサーバにアクセスし、遊技説明などの情報をダウンロードして表示させ、これを見ながら遊技を行うといった情報提供形態や、その他にも、遊技機の演出画像の一としてＱＲコード（二次元バーコード）を表示させ、これを携帯電話で読み取らせることで、遊技者に遊技場のホームページ情報を入手させることが開示されている（例えば、特許文献１を参照。）。
【特許文献１】特開２００３−１０３０３１号公報
【発明の開示】
【発明が解決しようとする課題】
【０００６】
携帯電話が普及している現在、上述したようなサービス、すなわち、遊技者の所持する携帯電話を用いて様々な情報を提供することが可能な情報提供システムは、確かに遊技者側からの要望でもあり、かつ好評ではあるが、単にホームページ情報を提供するだけでは、情報更新が遅れてしまうと情報が古いものであったり、また情報量が少なく、説明不足になってしまったりするおそれがあった。
【０００７】
また、遊技者が所持する携帯電話は様々な機種があり、しかも、機種によって機能が異なるために、機能の優劣によって、提供する情報の質や量に差がついてしまい、各遊技者に対して均等なサービスがなされなくなるおそれもあった。
【０００８】
本発明は、上記課題を解決することのできる遊技情報提供システム、及び遊技情報提供装置を提供することを目的としている。
【課題を解決するための手段】
【０００９】
請求項１記載の本発明では、遊技場内に設置された情報提供装置から遊技者の所有する移動体通信端末へ遊技に関する遊技情報を提供可能とした遊技情報提供システムであって、前記情報提供装置は、各種移動体通信端末にそれぞれ対応させた複数の情報送信手段と、遊技に関する情報を記憶する情報記憶手段と、前記情報送信手段ごとの情報提供態様を記憶した情報提供態様記憶手段と、移動体通信端末の種類に応じた情報提供態様で、それぞれ同一の遊技情報を、前記情報送信手段を介して各移動体通信端末に送信する制御を実行する制御手段と、備える遊技情報提供システムとした。
【００１０】
請求項２記載の本発明では、請求項１記載の遊技情報提供システムにおいて、前記情報提供装置は、移動体通信端末の種類を入力する機種情報入力手段と、この機種情報入力手段に入力された移動体通信端末の種類に応じた情報提供態様を案内するガイド手段と、を備えることを特徴とする。
【００１１】
請求項３記載の本発明では、請求項２記載の遊技情報提供システムにおいて、前記情報提供装置は、前記ガイド手段として機能する画像表示可能な表示手段と、前記機種情報入力手段より入力された移動体通信端末の種類に応じた情報提供態様を示す複数の選択画像を、前記表示手段に表示する表示制御手段と、前記表示手段に表示された複数の選択画像のうちのいずれが選択されたかを判定する判定手段と、を備えることを特徴とする。
【００１２】
請求項４記載の本発明では、請求項３に記載の遊技情報提供システムにおいて、前記複数の情報提供態様として、前記遊技情報を前記情報送信手段から前記移動体通信端末へ有線あるいは無線により直接的に送信する情報直接提供態様と、前記遊技情報を所定のサーバを介して前記移動体通信端末へ間接的に送信する情報間接提供態様とを有し、この情報間接提供態様をとるための送信手段として、前記表示手段に、前記サーバへアクセスするためアドレス又は二次元バーコードが表示されることを特徴とする。
【００１３】
請求項５記載の本発明では、遊技場内に設置され、遊技に関する遊技情報を遊技者が所持する移動体通信端末へ送信可能とした遊技情報提供装置であって、各種移動体通信端末にそれぞれ対応させた複数の情報送信手段と、遊技に関する情報を記憶する情報記憶手段と、前記情報送信手段ごとの情報提供態様を記憶した情報提供態様記憶手段と、移動体通信端末の種類に応じた情報提供態様で、それぞれ同一の遊技情報を、前記情報送信手段を介して各移動体通信端末に送信する制御を実行する制御手段と、を備える遊技情報提供装置とした。
【発明の効果】
【００１４】
本発明によれば、所持する携帯電話の機種にかかわらず、全ての遊技者に均一な遊技情報を提供することが可能となる。
【発明を実施するための最良の形態】
【００１５】
本実施形態に係る遊技情報提供システムは、遊技場内に設置された情報提供装置から遊技者の所有する移動体通信端末へ遊技に関する遊技情報を提供可能としたものであって、前記情報提供装置は、各種移動体通信端末にそれぞれ対応させた複数の情報送信手段と、遊技に関する情報を記憶する情報記憶手段と、前記情報送信手段ごとの情報提供態様を記憶した情報提供態様記憶手段と、移動体通信端末の種類に応じた情報提供態様で、それぞれ同一の遊技情報を、前記情報送信手段を介して各移動体通信端末に送信する制御を実行する制御手段と備えるものである。
【００１６】
上記移動体通信端末としては携帯電話を用いればよく、また、上記情報提供装置に設けられた制御手段は、基板上にＣＰＵなどの演算装置と、ＲＯＭ、ＲＡＭなどの情報記憶手段及び情報提供態様記憶手段として機能する記憶装置とを設けた制御回路であり、さらに、情報送信手段として、例えば携帯電話に応じた接続用コネクタによる手段、赤外線ポートによる手段、インターネットを用いる手段などを備えている。
【００１７】
したがって、遊技者は、パチンコ機やパチスロ機などを設置した遊技場に設置した前記情報提供装置を介して、遊技者自身が所持する移動体通信端末である携帯電話の種類に拘わらず、当該携帯電話に誰でも同一の遊技情報を受信することが可能となっている。
【００１８】
また、上記情報提供装置は、移動体通信端末の種類を入力する機種情報入力手段と、この機種情報入力手段に入力された移動体通信端末の種類に応じた情報提供態様を案内するガイド手段とを備えている。
【００１９】
すなわち、遊技者は、移動体通信端末として、自身が所持する携帯電話の機種を機種情報入力手段に入力すると、ガイド手段が遊技者の携帯電話の機種に応じた情報提供態様、すなわち、上記複数の情報送信手段を用いた情報提供態様を案内するもので、例えば、後述するように、上記接続用コネクタを用いた有線による通信での情報提供態様、あるいは上記赤外線ポートによる無線通信による情報提供態様、あるいは上記インターネットを介して専用サーバから情報をダウンロードするための二次元バーコード（ＱＲコード）を用いる情報提供態様などが遊技者に報知されるのである。
【００２０】
そのために、上記情報提供装置は、機種情報入力手段及び前記ガイド手段として機能する画像表示可能な表示手段と、前記機種情報入力手段より入力された移動体通信端末の種類に応じた情報提供態様を示す複数の選択画像を、前記表示手段に表示する表示制御手段と、前記表示手段に表示された複数の選択画像のうちのいずれが選択されたかを判定する判定手段とを備えた構成とするとよい。
【００２１】
上記ガイド手段として機能する表示手段には、例えばタッチパネルを備えた液晶表示装置を用いることができる。これにより、表示手段が機種情報入力手段を兼用することができ、機種情報の入力も、タッチパネルに表示された機種の中から選択するだけで行えるなど、遊技者の操作性も向上する。
【００２２】
すなわち、遊技情報を得ようとする遊技者は、情報提供装置のタッチパネルによって自分が所持する携帯電話の機種を入力すれば、液晶表示装置がガイド手段として機能し、機種に相応しい情報提供態様が表示され、その表示の中から適切な情報提供態様を選択すると、さらに情報を入手するための指示が具体的に表示され、遊技者は指示に従っていくだけで、携帯電話に有益な遊技情報を取り込むことが可能となる。
【００２３】
このように、上述してきた本実施形態に係る遊技情報提供装置は、複数の情報提供態様として、前記遊技情報を前記情報送信手段から前記移動体通信端末へ有線あるいは無線により直接的に送信する情報直接提供態様と、前記遊技情報を所定のサーバを介して前記移動体通信端末へ間接的に送信する情報間接提供態様とを有することになり、この情報間接提供態様をとるための送信手段として、前記表示手段に、前述した専用のサーバへアクセスするためのＱＲコードが表示されることになる。なお、ＱＲコードに代えて、前記専用サーバへアクセスするためのアドレスを直接テキスト表示してもよい。
【００２４】
ところで、遊技者が取得する遊技情報としては、例えば、遊技場におけるイベント情報、新機種情報、ホール情報などがあるが、所定の条件を満たした場合は、同じ情報にしても情報価値に格差を設けることもできる。勿論、所定の条件を満たすために、携帯電話の機種の違いによって有利不利が生じるようなものであってはならない。
【００２５】
例えば、遊技場がインターネット上に第１のサーバを置き、誰でもが所定のＵＲＬにアクセスすれば得られる情報が適宜掲載されている。ここでは、イベントとして、出球を平常よりも多くすることをうたった「大開放イベント」の「開催日時」が第１の情報として掲載されているとする。
【００２６】
遊技場に足を運び、上記してきた遊技情報提供装置から情報を得る場合は、いかなる機種の携帯電話であっても、上記「開催日時」に加えて、大開放の対象となる「機種名」が第２の情報として提供されるのである。「機種名」が分るだけでも、遊技者にとっては有益な情報となる。すなわち、機種の情報を事前に得ることも可能だからである。
【００２７】
さらに、例えばパチンコ機に、遊技終了ボタンなどを備えておき、遊技終了ボタンを押すと、これまでの遊技履歴などがパチンコ機の台番号とともにホールコンピュータに送られるようにしておく。そして、遊技終了ボタンを押して、所定時間以内（例えば５分以内）に、ホール内に設置された前記遊技情報提供装置から情報を得る場合は、前記第１、第２の情報に加え、如何なる携帯電話であっても第３の遊技情報の提供を受けることができるのである。この第３の遊技情報は、例えば、大開放の対象となる機種の「台番号」までが提供されるようにしておけば、イベント当日において遊技に勝利する確率が極めて高くなり、第１、第２の情報に比して著しく有益な情報を得たことになる。
【００２８】
さらに、遊技履歴によって、第３の情報に格差を設けてもよい。遊技履歴から、この遊技者が所定以上の賞球を獲得していると判断された場合、遊技情報提供装置は、イベント当日の大開放対象となる複数の遊技台のうち、いくつかの台番号のみを報知し、遊技履歴からこの遊技者がかなり負けていると判断された場合は、全ての台番号を報知するのである。
【００２９】
このように、本実施形態によれば、所持することが一般的になっているものの、それぞれ独自のインターフェイスを有する携帯電話に対して、いずれの携帯電話であっても同一の遊技情報を得られるようにしているので、遊技者は、所持する携帯電話の機種などの違いによって、提供される情報の質や量に差がついてしまうことがなく、各遊技者は一定の均等なサービスが受けられるようになり、遊技への意欲が向上する。他方、遊技場側とすれば、遊技者へのサービス向上となり、遊技者の再来店につなげることができる。
【００３０】
なお、本実施形態に係る遊技情報提供システムを導入する遊技場としては、例えば遊技機としてパチンコ機やパチスロ機などを設置したホールに好適であるが、特に遊技機の種類や遊技場の種類などを限定するものではない。
【００３１】
以下、本発明の実施形態を、図面に基づいて具体的に説明する。図１は本実施形態に係る遊技情報提供システムの模式的説明図、図２は本実施形態に係る遊技情報提供装置の全体外観を示す説明図、図３は同遊技情報提供装置の電気的構成を示すブロック図である。
【００３２】
図１において、１０は遊技場であり、ここではパチンコ機（以下「台」と呼ぶ場合もある）６が多数設置されたパチンコホールとしている。１１は所謂「遊技島」と呼ばれる遊技設備であり、前記パチンコ機６を複数並設した遊技機列を、２列背中合わせに設置した構成となっている。
【００３３】
図中、１２は各パチンコ機６と電気的に接続された中継器であり、この中継器１２は遊技島１１ごとに管理する遊技島制御装置１３と接続され、さらにこの遊技島制御装置１３はホールコンピュータ７に接続している。
【００３４】
また、このホールコンピュータ７は、インターネットを介してパチンコホール１０が設営するサイトを運営する専用サーバを兼用している。
【００３５】
また、１４はプリペイドカード販売機であり、パチンコ機６で遊技する際に遊技球を借り受けるためのカードを購入することができる。
【００３６】
パチンコ機６は、前記カードを挿入し、カード残額に応じた遊技球の貸し出しを行う図示しないカードユニットとともに前記遊技島１１に取付けられており、遊技釘を含む種々の遊技部材が設けられた遊技盤と、遊技球を発射するための発射ハンドルとを備え、遊技者による発射ハンドルの操作によって遊技球を遊技盤に発射し、所定の入賞口に遊技球が入賞すると一定の賞球の払出しを受けることができる。遊技者は、獲得した賞球の量に応じた景品を得ることができるので、より多くの賞球獲得を目的としてパチンコ遊技を行うことになる。そして、投資した金額よりも高い価値の景品を獲得できた場合を「勝ち」、投資した金額よりも低い価値の景品、あるいは全く景品を獲得できない場合を「負け」として遊技を楽しんでいる。
【００３７】
パチンコ機６は、基本的な遊技方法は同じであるが、様々な機種があって、機種毎に遊技形態が若干異なる場合があり、パチンコ機６ごとの特徴を知っていれば、知らないよりも有利に遊技を進めることができる。また、同じ機種においても、遊技盤に設けられた前記遊技釘の調整具合はそれぞれ異なっており、入賞口への入球確率が異なっている。
【００３８】
したがって、パチンコホール１０に設置された多数のパチンコ機６には、より多くの賞球を獲得できる所謂「優良台」から、なかなか賞球を獲得することのできない台まで様々な台が混在し。しかも、どの台も外見上は全く変わりがないため、遊技者は、優良台の情報には敏感であることが多い。
【００３９】
本実施形態の特徴となるのは、上述したパチンコホール１０に導入された遊技情報提供システムにある。
【００４０】
この遊技情報提供システムは、図１に示すように、パチンコホール１０内に設置された遊技情報提供装置１から遊技者の所有する移動体通信端末としての携帯電話８へ遊技に関する遊技情報を提供可能としたものである。
【００４１】
図示するように、遊技情報提供装置１は、ホールコンピュータ７に接続され、ホールコンピュータ７内に格納された最新情報を、遊技者の所有する携帯電話８に送信可能となっており、図２に示すように、その外観は、台座部１ａにスタンド部１ｂを立設し、このスタンド部１ｂの上部に、前面に表示手段であって、後述するガイド手段としても機能する液晶表示装置２を設けた装置本体１ｃを取付けた構成としている。また、この液晶表示装置２は、機種情報入力手段として機能するタッチパネル２１（図３を参照）を具備している。なお、前記液晶表示装置２に代えてＣＲＴを採用してもよい。
【００４２】
ここで、遊技情報提供装置１について、図２及び図３に基いて詳述する。
【００４３】
遊技情報提供装置１は、装置本体１ｃに、前記液晶表示装置２と、多種多様な機種が存在する各携帯電話８（図４を参照）にそれぞれ対応させた複数の情報送信手段として、各電話機メーカに応じたコネクタ３ａ〜３ｅからなる有線の接続部３と、赤外線による通信が可能な携帯電話８に対応する赤外線ポート５とを備えている。
【００４４】
これら接続部３と赤外線ポート５は、それぞれ直接情報提供態様の一となるものであり、接続部３のコネクタ３ａ〜３ｅは、装置本体１ｃの下面からそれぞれ垂下しており、各コネクタ３ａ〜３ｅ毎に携帯電話メーカ名が液晶表示装置２の下方位置にラベル表示されている。また、赤外線ポート５は、装置本体１ｃの上部中央位置に設けられている。なお、図中、４は前記コネクタ３ａ〜３ｅ毎に設けたコネクタ表示部であり、表示ランプ４ａ〜４ｅからなり、携帯電話メーカのラベルの上部位置にそれぞれ設けられている。
【００４５】
また、装置本体１ｃの内部には、制御回路９が設けられており、この制御回路９によって、本実施形態に係る遊技情報提供装置１は携帯電話８の種類に応じた情報提供態様で、それぞれ同一の遊技情報を、前記情報送信手段（接続部３や赤外線ポート５など）を介して各携帯電話８に送信する制御を実行することができる。
【００４６】
遊技情報提供装置１の制御回路９は、図３に示すように、ＣＰＵ９０と、ＲＯＭ（読み出し専用メモリ）９１と、ＲＡＭ（読み書き可能メモリ）９２とを備えており、前記ＲＯＭ９１には遊技に関する各種情報テーブル、及び各種の携帯電話８に応じて情報を提供するための情報提供プログラム、さらには、液晶表示装置２上に表示する画像データなどが記憶され、情報記憶手段として機能する。また、このＲＯＭ９１は、その他にも前記接続部３や赤外線ポート５など情報送信手段ごとの情報提供態様を記憶して、情報提供態様記憶手段として機能する。なお、ＲＯＭ９１内に記憶された各種情報テーブルについては後述する。
【００４７】
一方、ＲＡＭ９２は、ＣＰＵ９０の一時記憶領域として種々のフラグや変数の値を記憶する機能を有する。
【００４８】
なお、本実施形態においては、プログラム、テーブルなどを記憶する媒体としてＲＯＭ９１を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジなどの記憶媒体に記録されていてもよい。また、これらのプログラムは、予め記録されているものでなくとも、電源投入後にこれらのプログラムをダウンロードしてＲＡＭ９２などに記録されるものでもよい。さらに、プログラムの各々が別々の記憶媒体に記録されていてもよい。
【００４９】
また、制御回路９には、本実施形態における表示手段、及びガイド手段として機能する液晶表示装置２の制御を行う表示制御回路９３、本実施形態における機種情報入力手段として機能するタッチパネル２１を制御するタッチパネル制御回路９４、表示ランプ４ａ〜４ｅの制御を行うランプ制御回路９５、所定の周波数のクロックパルスを生成するリセット用クロックパルス発生回路９６、ホールコンピュータ７との通信を行うシリアル通信用ＩＣ９７、コネクタ３ａ〜３ｅを介して携帯電話８にデータを送信するためのコネクタ通信用ＩＣ９８、赤外線ポート５を介して携帯電話８にデータを送信するための赤外線通信用ＩＣ９９とを備え、これらはＣＰＵ９０に接続されている。なお、前記クロックパルス発生回路９６は、後述するシステムタイマ割込処理（図８）を実行するために、所定の周期（例えば２ミリ秒）毎にクロックパルスを発生する。
【００５０】
本実施形態に係る遊戯情報提供システムは上述した構成となっており、遊技者は、所持する携帯電話８を用いて、有益な遊技情報をいつでも入手することができ、情報を参考にすることで、パチンコ遊技をより楽しむことができる。
【００５１】
図４〜図６は、遊技者が遊技情報提供装置１を実際に使用する場合の手順を示す説明図であり、これら図４〜図６を参照しながら、ガイド手段である遊技情報提供装置１の液晶表示装置２上に表示される案内画面を通して、携帯電話８の種類に応じた情報提供態様によって情報提供がなされる様子について説明する。
【００５２】
図４（ａ）に示すように、遊技情報提供装置１を使用する者（以下「使用者」という）は、遊技情報提供装置１の液晶表示装置２に表示された第１の機種選択画面（メーカ選択画面）から自分が所持する電話機メーカを選択すると、画面は次の第２の機種選択画面に変わり、携帯電話８の機種選択を促す（図４（ｂ））。
【００５３】
遊技情報提供装置１の制御回路９では、選択された携帯電話８の機種に対して、コネクタ接続による情報提供が相応しいと判断した場合、液晶表示装置２上に「ランプが点灯して接続ケーブルに携帯電話を接続してください」などの案内とともに、その要領を示す画像を表示する（図４（ｃ））。
【００５４】
ランプ表示された接続部３のコネクタ（３ａ〜３ｅ）を携帯電話８に接続すると、図４（ｄ）に示すように、入手したい遊技情報の選択画面になり、使用者が所望する遊技情報を選択すると、画面は「データ送信中」などの状況を案内するメッセージとともに、それを示す画像を表示する（図４（ｅ））。
【００５５】
そして、遊技情報提供装置１から携帯電話８への情報転送が終了すると、図４（ｆ）に示すように、画面には「データ送信終了しました」のメッセージとともに、「続けますか？」のメッセージが表示され、必要に応じてさらなる情報入手が行える。例えば、イベント情報を入手した後、次に機種情報などを改めて入手することができる。
【００５６】
携帯電話８に送信された情報は、所定の記憶領域に格納され、使用者は、必要時にいつでもその情報を所持する携帯電話８の画面上に表示して確認することができる。
【００５７】
先の例では、有線による接続部３を用いた情報提供態様が選択された場合であったが、図５に示すように、電話機メーカを選択して、さらに携帯電話８の機種を選択した場合（図５（ａ），（ｂ））、選択された携帯電話８の機種がコネクタ（３ａ〜３ｅ）を用いた有線による通信が不適の場合、あるいは、赤外線による通信、もしくはＱＲコード（二次元バーコード）を用いて情報取得が可能であると判定した場合、図５（ｇ）に示すように、「赤外線」、「ＱＲコード」のいずれかを選択させる画面表示を行い、使用者が「赤外線」を選択すると、図５（ｄ）に示すように、入手したい遊技情報の選択画面になり、使用者は所望する遊技情報を選択する。
【００５８】
そして、図５（ｈ）に示すように、画面上に「赤外線データ受信ＯＫ？」などのメッセージを表示して、赤外線ポート５を用いる準備を促し、使用者が赤外線ポート５から情報受信を開始すると、その状況を表す画面が液晶表示装置２上に表示される（図５（ｉ））。使用者は、通信を終えて遊技情報を取得すれば、画面上の「終了」に触れて情報受信作業を終える。
【００５９】
また、図６に示すように、電話機メーカを選択して、さらに携帯電話８の機種を選択した場合（図６（ａ），（ｂ））、選択された携帯電話８の機種がコネクタ（３ａ〜３ｅ）を用いた有線による通信が不適の場合、あるいは、赤外線による通信、もしくはＱＲコード（二次元バーコード）を用いて情報取得が可能であると判定した場合、図６（ｇ）に示すように、「赤外線」、「ＱＲコード」のいずれかを選択させる画面表示を行い、使用者がＱＲコードを選択すると、入手したい遊技情報の選択画面になり、使用者は所望する遊技情報を選択する。図６（ｊ）に示すように、画面上にＱＲコードが表示されるとともに、「撮影して下さい」のメッセージが表示される。
【００６０】
そして、使用者は、図６（ｋ）に示すように、所持する携帯電話８のカメラ機能を用いて、液晶表示装置２に表示されたＱＲコードを撮影して読み取る。撮影を終了すると、使用者は画面上の「終了」に触れて情報受信作業を終える。
【００６１】
ところで、このＱＲコードを読み取った場合、情報量が多い場合は、前述したホールコンピュータ７がその役割を担う専用サーバにアクセスするためのパスワード及びＵＲＬが携帯電話８の画面に表示される。なお、情報量が少ない場合は携帯電話８の画面に直接情報がテキスト表示される。
【００６２】
このように、本遊技情報提供システムによれば、携帯電話８に見合った情報提供態様（ここでは、有線、無線による直接通信による態様、若しくはＱＲコードを用いて専用サーバにアクセスして情報を間接的に取得する態様）で情報提供が可能となっているので、使用者は、自身が所持する携帯電話８の機種に拘わらず、誰でも同一情報を確実に入手することができる。
【００６３】
図７は本実施形態に係る遊技情報提供装置１のＲＯＭ９１に格納されている遊技情報テーブルの説明図であり、この図７を参照して、本遊技情報提供システムで得られる遊技情報について説明する。
【００６４】
本遊技情報提供システムの遊技情報には、イベント情報、機種情報、ホール情報とが設定されており、この遊技情報提供システムを利用して入手した情報は、パチンコホール１０が開設しているインターネットのサイトで得られる情報（以下「インターネット情報」という）よりも密度の高いものとなっている。すなわち、パチンコホール１０に足を運んで遊技情報提供装置１を利用して得た情報は、少なくとも、どこからでもアクセスして得られるインターネット情報よりも密度が高いものとなっている。
【００６５】
例えば、イベント情報についてみれば、インターネット情報であれば「大開放祭」が実施されるという告知があり、第１の情報として、その日付のみの情報提供がなされる。一方、遊技情報提供装置１を利用して得た情報には、少なくとも大開放される予定の機種名が第２の情報として、さらに、所定の条件を満たした場合は、その対象機種のうち、実際に遊技者に有利な台として設定されているパチンコ機６の台番号までもが提供されるのである。なお、「大開放」というのは、パチンコホール１０に設置されているパチンコ機６について、通常よりも賞球を多く獲得できる可能性が高い状態にすることであり、通常は、全ての台ではなくいくつかの台について、釘調整を甘くしたりして、遊技者に有利な状態としておく。なお、例えばパチスロ機のような遊技機の場合は、大当たり抽選確率の設定が可能なので、「大開放祭」では、いくつかのパチスロ機についての設定を、大当たり抽選確率が高い設定に変更しておくのである。
【００６６】
したがって、遊技者とすれば、大開放際において有利になると見られる対象機種名が分るだけでも、イベント（大開放祭）時にパチンコホール１０を訪れたときに、良い台を確保しやすい。
【００６７】
すなわち、本実施形態では、図７に示すように、上述してきた遊技情報提供装置１を利用して得られる遊技情報についてもレベル１〜レベル３の複数の段階に区分し、条件によって、得られる情報に格差を設けている。ここでは、イベント情報としてＥＶテーブル１〜ＥＶテーブル３、機種情報としてＰテーブル１〜Ｐテーブル３、ホール情報としてＨテーブル１〜Ｈテーブル３までの情報テーブルが用意されている。
【００６８】
本実施形態では、レベルが高まるにつれて情報内容の密度も高くしており、図示するように、例えばイベント（大開放祭）情報の場合、レベル１では上述したように「日程」と「対象機種名」の情報提供がなされるが、レベル２ではそれに加えて、いくつかの台番号までもが情報提供される。さらに、レベル３では、対象機種の全台番号が開示されるようにしている。
【００６９】
大開放祭においては、その台番号のパチンコ機を確保することができれば、より多くの賞球獲得が可能となるので、台番号の情報は価値があり、レベル３では対象機種名の台番号が全て得られるので、イベント当日に確保すべき台を探す場合に極めて有利となる。
【００７０】
ここで、どのような条件の場合にどのレベルの情報が提供されるかについて簡単に説明する。本実施形態では、パチンコホール１０へ足を運んで遊技情報提供装置１を利用した場合は、レベル１が適用される。すなわち、当該パチンコホール１０に足を運び、上述した遊技情報提供装置１から情報を得る場合は、いかなる機種の携帯電話８であっても、イベント開催日時に加えて、大開放の対象機種名が第２の情報として提供されるのである。
【００７１】
さらに、実際にパチンコ遊技を行い（パチスロ機などが設置してあれば、パチスロ遊技であってもよい）、遊技終了後に遊技情報提供装置１を利用した場合であれば、遊技結果に応じてレベル２、あるいはレベル３の情報提供がなされる。
【００７２】
本実施形態では、遊技者の遊技結果をパチンコホール１０側が把握するために、パチンコ機６に遊技終了ボタン（図示せず）を設け、この遊技終了ボタンを押すと、これまでの遊技履歴がパチンコ機６の台番号とともにホールコンピュータ７に送られるようにしておく。そして、遊技終了ボタンを押して、所定時間以内（例えば５分以内）に、遊技者が自分が遊技していた台番号を入力して遊技情報提供装置１から情報を得る場合は、レベル２、あるいはレベル３のいずれかの遊技情報の提供を受けることができるようにしている。このとき、ホールコンピュータ７がパチンコ機６から得た遊技履歴を解析して、賞球払出数が遊技者が打込んだ遊技球の数よりも多い場合、すなわち、遊技者が勝った場合はレベル２の遊技情報を、反対に、賞球払出数が遊技者が打込んだ遊技球の数よりも少ない場合、すなわち、遊技者が負けた場合はレベル３の遊技情報を提供するようにしている。
【００７３】
なお、このレベル２とレベル３とを区別する条件は、上述したものに限定されるものではなく、パチンコホール１０側で適宜設定することができる。
【００７４】
また、同じレベル３であっても格差を設け、遊技者の負けの度合い、すなわち獲得賞球と打込んだ遊技球数の差が所定値以上の場合、全ての台番号を報知することに加え、パチンコホール１０の開店時に優先的に入店できる整理番号を受ける権利を証明するパスワードを提供するなどのサービスを行ったりすることもできる。
【００７５】
このように、本遊技情報提供システムを導入したパチンコホール１０では、遊技者に対し、これまでにないサービスの向上を図ることが可能となる。
【００７６】
以下に、本遊技情報提供システムで実行される処理について説明する。図８は本遊技情報提供システムにおけるメイン処理のフローチャート、図９は同システムタイマ割込処理のフローチャート、図１０はデータ出力処理のフローチャート、図１１はデータ送信処理のフローチャートである。
【００７７】
図８に示すように、メイン処理においては、制御回路９のＣＰＵ９０は、先ず、ＲＡＭアクセス許可、バックアップ復帰処理、作業領域を初期化などの初期設定処理を実行する（ステップＳ１１）。そして、後述するデータ出力処理を実行する（ステップＳ１２）。このように、メイン処理においては、ステップＳ１１の初期設定処理が終了した後、ステップＳ１２の処理を繰り返し実行することとなる。
【００７８】
また、メインＣＰＵ６６は、メイン処理を実行している状態であっても、メイン処理を中断させ、システムタイマ割込処理を実行する場合がある。クロックパルス発生回路９６から所定の周期（例えば２ミリ秒）毎に発生されるクロックパルスに応じて、以下のシステムタイマ割込処理を実行する。
【００７９】
図９に示すように、システムタイマ割込処理において、メインＣＰＵ６６は、遊技情報提供装置１のタッチパネル２１からの使用者による入力や、シリアル通信用ＩＣ９７やコネクタ通信用ＩＣ９８や赤外線通信用ＩＣ９９からの信号を検知する入力検出処理を実行する（ステップＳ２２）。この処理において、メインＣＰＵ６６は、各入力信号を受け付けたフラグをＲＡＭ９２の所定領域に記憶する。そして、ステップＳ２３において、ＲＡＭ９２の所定領域に記憶されている内部タイマを、割り込み発生の時間（例えば２ミリ秒）毎に記憶更新する。この処理において、ＣＰＵ９０は、ＲＡＭ９２の所定の領域に記憶されている現在時刻データを、割り込み発生の時間（例えば２ミリ秒）毎に記憶更新する。
【００８０】
さらに、ＣＰＵ９０は、ステップＳ２４において、ＲＡＭ９２の所定の領域に記憶されている各種データの出力要求に従い、表示制御回路９３、シリアル通信用ＩＣ９７、コネクタ通信用ＩＣ９８、赤外線通信用ＩＣ９９１６に対し、各種データを出力する処理を行う。この処理が終了した場合には、本サブルーチンを終了し、割込発生前のアドレスへ復帰し、メイン処理を実行させる。なお、シリアル通信用ＩＣ９７、コネクタ通信用ＩＣ９８、赤外線通信用ＩＣ９９１６などに対しては、専用の割込タイマ処理を行うようにしてもよい。
【００８１】
図８に示したメイン処理のステップＳ１２において実行されるデータ出力処理に係るサブルーチンについて、図１０を用いて説明する。
【００８２】
図１０に示すように、最初にＣＰＵ９０は、ＲＡＭ９２にデータ送信要求フラグがあるか否かを判定する（ステップＳ３１）。
【００８３】
このステップＳ３１でデータ送信要求が有ると判定した場合は、後に詳述するデータ送信処理を実行し（ステップＳ３２）、このルーチンを終了する一方、ステップＳ３１でデータ送信要求が無いと判定した場合は処理をステップＳ３３に移す。
【００８４】
ステップＳ３３では、ＣＰＵ９０は、遊技情報提供装置１のタッチパネル２１からの入力があるか否かを判定し、有ると判定した場合はステップＳ３４に処理を移し、無いと判定した場合はこのルーチンを終了する。
【００８５】
ステップＳ３４では、遊技情報提供装置１の液晶表示装置２が初期画面であるか否かを判定する。初期画面であると判定した場合は、ＣＰＵ９０は、液晶表示装置２に表示させる画面として、メーカ得選択画面をセットし（ステップＳ３５）、このルーチンを終了する。一方、初期画面でない場合は、処理をステップＳ３６に移す。
【００８６】
ステップＳ３６では、ＣＰＵ９０は、液晶表示装置２にメーカ選択画面、すなわち第１の機種選択画面（図４（ａ）を参照）が表示されているか否かを判定し、表示されていると判定した場合は、第２の機種選択画面をセットして（ステップＳ３７）このルーチンを終了する。一方、メーカ選択画面が表示されていないと判定した場合は、処理をステップＳ３８に移す。
【００８７】
ステップＳ３８では、ＣＰＵ９０は、液晶表示装置２に第２の機種選択画面（図４（ｂ）参照）が表示されているか否かを判定し、表示されていると判定した場合はステップＳ３９に処理を移し、表示されていないと判定した場合はステップＳ４２に処理を移す。
【００８８】
ステップＳ３９では、ＣＰＵ９０は、機種データが入力されたか否かを判定し（ステップＳ３９）、データ入力があれば、ケーブル接続画面をセットするとともに、入力された機種データに対応する表示ランプ４（図２参照）を点灯してこのルーチンを終了する。一方、ステップＳ３９で機種データの入力がないと判定した場合、ＣＰＵ９０は赤外線、二次元バーコード（ＱＲコード）選択画面をセットしてこのルーチンを終了する。
【００８９】
ステップＳ４２では、液晶表示装置２にケーブル接続画面（図４（ｃ）を参照）が表示されているか否かを判定し、表示されていると判定した場合は、データ選択画面をセットして（ステップＳ４３）このルーチンを終了する。一方、ステップＳ４２においてケーブル接続画面が表示されていないと判定した場合は、赤外線・二次元バーコート（ＱＲコード）選択画面（図５（ｇ）参照）が液晶表示装置２に表示されているか否かを判定し（ステップＳ４４）、表示されていると判定した場合は処理をステップＳ４５へ、表示されていないと判定した場合は処理をステップＳ４９に移す。
【００９０】
ステップＳ４５では、ＣＰＵ９０は、赤外線による通信が選択されたか否かを判定し、選択されていると判定した場合は赤外線データフラグをセットし（ステップＳ４７）、次いでデータ選択画面をセットして（ステップＳ４８）このルーチンを終了する。
【００９１】
ステップＳ４９では、ＣＰＵ９０は液晶表示装置２にデータ選択画面（図４（ｄ）、図５（ｄ）、図６（ｄ）参照）が表示されているか否かを判定し、表示されていると判定した場合はステップＳ５０へ処理を移す一方、表示されていないと判定した場合はステップＳ５２へ処理を移す。
【００９２】
ステップＳ５０では、使用者によりタッチパネル２１を介して選択された転送データをデータ送信手段にセットし、次いでデータ送信手段に合わせたデータ送信要求フラグをセットして（ステップＳ５１）このルーチンを終了する。
【００９３】
ステップＳ５２では、ＣＰＵ９０は、液晶表示装置２にデータ送信終了画面が表示されているか否かを判定し、表示されていると判定した場合は処理をステップＳ５３に移し、表示されていないと判定した場合はこのルーチンを終了する。
【００９４】
ステップＳ５３では、ＣＰＵ９０は、データ送信が終了したか否かを判定する。すなわち、使用者がタッチパネル２１を介して終了信号を入力したか否かを判定する。
【００９５】
データ送信が終了していないと判定した場合はデータ選択画面を再度セットし（ステップＳ５４）、データ送信が終了したと判定した場合は初期画面をセットして（ステップＳ５５）このルーチンを終了する。
【００９６】
そして、かかるデータ出力処理がメイン処理（図８参照）の中において繰り返され、ＣＰＵ９０は、ステップＳ３１に処理を移してデータ送信要求があるか否かの判定を行い、データ送信要求があった場合に、図１１に示すデータ送信処理を実行するのである。
【００９７】
図１１のデータ送信処理を示すサブルーチンにおいて、ＣＰＵ９０は、先ず、ケーブル接続によるデータ送信の要求がなされているか否かを判定し、ケーブル接続によるデータ送信要求であると判定した場合は、処理をステップＳ７２に移し、ケーブル接続によるデータ送信要求ではないと判定した場合は、処理をステップＳ７５に移す。
【００９８】
ステップＳ７２において、ＣＰＵ９０は、データ送信が終了したか否かを判定し、終了したと判定した場合は、データ送信終了画面をセットし（ステップＳ７３）、終了していないと判定した場合はデータ送信中が面をセットして処理を図１０のステップＳ３１に戻す。
【００９９】
ステップＳ７５では、赤外線通信によるデータ送信要求であるか否かを判定し、赤外線通信によるデータ送信要求であると判定した場合は、処理をステップＳ７６に移し、赤外線通信によるデータ送信要求ではないと判定した場合は、処理をステップＳ８４に移す。
【０１００】
ステップＳ７６では、ＣＰＵ９０は、遊技情報提供装置１の液晶表示装置２がデータ受信ＯＫ画面（図５（ｈ）参照）であるか否かを判定し、ＯＫ画面であればステップＳ７８へ、ＯＫ画面でない場合はステップＳ７７へ処理を移し、データ送信ＯＫ画面をセットしてこのルーチンを終了し、ステップＳ３１に戻る。
【０１０１】
一方、ステップＳ７６でデータ受信ＯＫ画面であると判定した場合、ＣＰＵ９０は、ステップＳ７８において送信開始指示信号があるか否かを判定する。そして、指示があると判定すると、データ送信中画面をセットし（ステップＳ７９）、次いで、赤外線データの送信処理を実行して（ステップＳ８０）、このルーチンを終了してステップＳ３１に戻る。
【０１０２】
一方、ステップＳ７８で送信指示が無いと判定した場合、ＣＰＵ９０は、ステップＳ８１では、データ送信中画面が液晶表示装置２に表示されているか否かを判定し、表示されていない場合はこのルーチンを終了してステップＳ３１に戻る一方、データ送信中画面が表示されている場合は、データ送信が終了したか否かを判定し（ステップＳ８２）、終了していないと判定した場合はこのルーチンを終了してステップＳ３１に戻る。
【０１０３】
また、ステップＳ８１でデータ送信終了であると判定した場合、ＣＰＵ９０は、データ送信終了画面をセットして（ステップＳ８３）このルーチンを終了してステップＳ３１に戻る。
【０１０４】
ステップＳ７５で赤外線によるデータ送信要求ではないと判定した場合のステップＳ８４では、二次元バーコード（ＱＲコード）の読み取りを終了した信号が入力されているか否かを判定し、終了した場合であれば、ＣＰＵ９０は処理を前記ステップＳ８３に移してデータ送信画面のセットを行い、このルーチンを終了して処理をステップＳ３１に戻し、バーコード読取が終了していない場合は、そのままこのルーチンを終了してステップＳ３１に処理を移す。
【０１０５】
上述してきた実施形態より、以下の遊技情報提供装置、及びこれを備える遊技情報提供システムが実現する。
【０１０６】
遊技場（例えば、パチンコホール１０）内に設置された遊技情報提供装置１から遊技者の所有する移動体通信端末（例えば、携帯電話８）へ遊技に関する遊技情報を提供可能とした遊技情報提供システムであって、前記遊技情報提供装置１は、各種移動体通信端末にそれぞれ対応させた複数の情報送信手段（例えば、接続部３、赤外線ポート５、二次元バーコードなど）と、遊技に関する情報を記憶する情報記憶手段（例えば、ＲＯＭ９１）と、前記情報送信手段ごとの情報提供態様を記憶した情報提供態様記憶手段（例えば、ＲＯＭ９１、及びこのＲＯＭ９１に格納された情報提供態様記憶テーブル）と、移動体通信端末の種類に応じた情報提供態様で、それぞれ同一の遊技情報（例えば、イベント情報、機種情報、ホール情報など）を、前記情報送信手段を介して各移動体通信端末に送信する制御を実行する制御手段（例えば、ＣＰＵ９０）と、備える遊技情報提供システム。
【０１０７】
上記遊技情報提供システムにおいて、前記遊技情報提供装置１は、移動体通信端末（例えば、携帯電話８）の種類を入力する機種情報入力手段（例えば、タッチパネル２１）と、この機種情報入力手段に入力された移動体通信端末の種類に応じた情報提供態様を案内するガイド手段（例えば、液晶表示装置２）とを備えた遊技情報提供システム。
【０１０８】
上記各遊技情報提供システムにおいて、前記遊技情報提供装置１は、前記ガイド手段として機能する画像表示可能な表示手段（液晶表示装置２）と、前記機種情報入力手段（例えば、タッチパネル２１）より入力された移動体通信端末（例えば、携帯電話８）の種類に応じた情報提供態様を示す複数の選択画像を、前記表示手段に表示する表示制御手段（例えば、表示制御回路９３）と、前記表示手段に表示された複数の選択画像のうちのいずれが選択されたかを判定する判定手段（例えば、ＣＰＵ９０）とを備える遊技情報提供システム。
【０１０９】
さらに、上記各遊技情報提供システムにおいて、前記複数の情報提供態様として、前記遊技情報（例えば、イベント情報、機種情報、ホール情報など）を前記情報送信手段（例えば、接続部３、赤外線ポート５など）から前記移動体通信端末（例えば、携帯電話８）へ有線あるいは無線により直接的に送信する情報直接提供態様と、前記遊技情報を所定のサーバ（例えば、ホールコンピュータ７で兼用）を介して前記移動体通信端末へ間接的に送信（例えば、インターネットを介しての送信）する情報間接提供態様とを有し、この情報間接提供態様をとるための送信手段として、前記表示手段（例えば、液晶表示装置２）に、前記サーバへアクセスするためアドレス又は二次元バーコード（ＱＲコード）が表示される遊技情報提供システム。
【０１１０】
以上、本発明を、実施形態を通して説明してきたが、ここでは具体例を例示したに過ぎず、特に本発明を限定するものではない。すなわち、本発明は、主に、遊技場内に設置された遊技情報提供装置から遊技者の所有する移動体通信端末へ遊技に関する遊技情報を提供可能とした遊技情報提供システムであって、前記遊技情報提供装置は、各種移動体通信端末にそれぞれ対応させた複数の情報送信手段と、遊技に関する情報を記憶する情報記憶手段と、前記情報送信手段ごとの情報提供態様を記憶した情報提供態様記憶手段と、移動体通信端末の種類に応じた情報提供態様で、それぞれ同一の遊技情報を、前記情報送信手段を介して各移動体通信端末に送信する制御を実行する制御手段と備える構成としたことを特徴とするものであるが、各手段の具体的構成は適宜設計可能である。
【０１１１】
また、本発明の実施形態に記載された効果は、本発明から生じる最も好適な効果を列挙したに過ぎず、本発明による効果は、本発明の実施形態に記載されたものに限定されるものでもない。
【図面の簡単な説明】
【０１１２】
【図１】本実施形態に係る遊技情報提供システムの模式的説明図である。
【図２】同遊技情報提供装置の全体外観を示す説明図である。
【図３】同遊技情報提供装置の電気的構成を示すブロック図である。
【図４】同遊技情報提供装置を実際に使用する場合の手順を示す説明図である。
【図５】同遊技情報提供装置を実際に使用する場合の手順を示す説明図である。
【図６】同遊技情報提供装置を実際に使用する場合の手順を示す説明図である。
【図７】遊技情報テーブルの説明図である。
【図８】本実施形態に係る遊技情報提供システムにおいて実行される制御処理を示すフローチャートである。
【図９】本実施形態に係る遊技情報提供システムにおいて実行される制御処理を示すフローチャートである。
【図１０】本実施形態に係る遊技情報提供システムにおいて実行される制御処理を示すフローチャートである。
【図１１】本実施形態に係る遊技情報提供システムにおいて実行される制御処理を示すフローチャートである。
【符号の説明】
【０１１３】
１    遊技情報提供装置
２    液晶表示装置（表示手段）
３ａ〜３ｅ    コネクタ
５    赤外線ポート
６    パチンコ機（遊技機）
７    ホールコンピュータ
８    携帯電話（移動体通信端末）
９    制御回路
２１    タッチパネル
９０    ＣＰＵ
９１    ＲＯＭ
９２    ＲＡＭ
【図１】
2007252588.tif 000003
【図２】
2007252588.tif 000004
【図３】
2007252588.tif 000005
【図４】
2007252588.tif 000006
【図５】
2007252588.tif 000007
【図６】
2007252588.tif 000008
【図７】
2007252588.tif 000009
【図８】
2007252588.tif 000010
【図９】
2007252588.tif 000011
【図１０】
2007252588.tif 000012
【図１１】
2007252588.tif 000013